(57)【特許請求の範囲】
【請求項１】
原稿を搬送しながら原稿の第一面の読み取りを行う第１の原稿読取手段と、該第１の原稿読取手段と離れた位置に設けられ、原稿を搬送しながら原稿の第二面の読み取りを行う第２の原稿読取手段と、前記第１及び第２の原稿読取手段により読み取った画像データを記憶する第１のメモリと、該第１のメモリに記憶した画像データを圧縮する圧縮手段と、該圧縮手段により圧縮された画像データを記憶する第２のメモリとを有する原稿読取装置において、
前記圧縮手段は、前記第１の原稿読取手段による原稿読み取り位置と、前記第２の原稿読取手段による原稿読み取り位置との原稿搬送路に沿った距離が、原稿長と紙間の和よりも大きい場合であって、第一の原稿の第一面の画像データの次に、前記第一の原稿に続く第二の原稿の第一面の画像データが前記第１のメモリに記憶された場合、前記第一の原稿の第二面の画像データの前記第１のメモリへの記憶と前記圧縮手段による圧縮が行われるまで、前記第二の原稿の第一面の画像データの圧縮を行わず、前記第二の原稿の第一面の画像データを前記第１のメモリに記憶した状態を維持し、前記第一の原稿の第二面に続く前記第二の原稿の第一面の画像データの読み込み順番の逆転を防ぐようにしたことを特徴とする原稿読取装置。
【発明の詳細な説明】
【０００１】
【発明の属する技術分野】
本発明は、原稿読取装置に関し、より詳細には、原稿読取装置や画像形成装置などにおける原稿から画像を読み取り、用紙上に画像形成を行うデジタル複写機等に適用される原稿読取装置に関する。
【０００２】
【従来の技術】
従来、デジタル複写機等の一般的な画像形成装置では、読み取った原稿の画像データをそのままの状態でメモリに記憶するのではなく、所定の符号データに圧縮してからメモリに記憶するように構成されている。そして、システムの要求に応じて、メモリから符号データを読み出し、元の画像データに復号化した後に、画像形成部へと出力するように構成されている。
【０００３】
また、原稿読み込みパフォーマンスの向上のために、例えば、特開平１０−２９４８３０号公報に記載されているように、両面原稿流し読み機能（原稿を搬送しながら原稿の両面を読み取る機能）を搭載した画像形成装置が既に提供されている。このような画像形成装置において、原稿の両面を同時に読み込む同時両面読み込みを行った場合、従来のように、原稿の片面の画像を読み取って用紙に画像形成を行った後に、原稿の別の片面の画像を形成すべく、当該用紙を反転させる反転パスでの片面読み系を用いた流し読み装置と比較した時、同時に原稿の両面読み込みができるようになった分、原稿読み込み速度が片面時と変わらないことや、原稿搬送パスが単調になることからの原稿へのダメージも少なくなるといった利点があった。
【０００４】
また、両面原稿流し読み機能を搭載した画像形成装置においては、例えば、特開平１１−６９０８７号公報に記載されているように、屈曲パス内に画像読み取りセンサを配置させることで、最小構成での両面流し読みが提案されている。そして、実際的には、原稿照射時の裏写りを防ぐために、各々の画像読み取りセンサは、ある程度の距離をもって配置されている。
【０００５】
【発明が解決しようとする課題】
しかしながら、上述したような原稿流し読み機能を搭載した画像形成装置では、画像記憶装置を２つ用意する必要があり、コスト増加というデメリットもでてしまう。このデメリットをクリアする方法としては、例えば、特開平８−２２５３６号公報に記載のように、両面読み取り時の裏面データは裏面一時待機用のバッファメモリに格納することで、表面の画像読み込み終了から圧縮終了で裏面一時待機用のバッファメモリのデータを圧縮をすることで、画像記憶装置を１つである構成を持つことができる。
【０００６】
しかし、これらの構成は、あくまでも両面時の画像データ読み込みが表面と裏面がほぼ同時、または、表面読み込み終了から裏面読み込み終了というケースにしか対応できていない。
【０００７】
ユーザのニーズとして、原稿サイズがＡ４、Ｂ５に限らず、更に小さいＡ５、Ｂ６の原稿を流し読みで画像読み取りするといったニーズがある。例えば、原稿が、Ａ５やＢ６のように小さいと、表面読み込み用のセンサと裏面読み込み用のセンサとの間の紙パス距離よりも、搬送する原稿が送り方向に対して短かくなってしまい、複数原稿読み込み時に、読み込み順番が１枚目表から２枚目表さらに１枚目裏のように逆転現象が起きてしまう恐れがある。これをそのままコピー出力やＦＡＸ送信した場合、読み込み面順が狂ったまま処理されてしまうという問題がある。
【０００８】
本発明は、このような問題に鑑みてなされたもので、その目的とするところは、原稿の同時両面読み込みにおいて原稿読み込み順番をソフト的に制御していくことで、一つの画像記憶装置に原稿順番通りに記憶していくことを可能とした原稿読取装置を提供することにある。
【０００９】
【課題を解決するための手段】
本発明は、このような目的を達成するために、請求項１に記載の発明は、原稿を搬送しながら原稿の第一面の読み取りを行う第１の原稿読取手段と、該第１の原稿読取手段と離れた位置に設けられ、原稿を搬送しながら原稿の第二面の読み取りを行う第２の原稿読取手段と、前記第１及び第２の原稿読取手段により読み取った画像データを記憶する第１のメモリと、該第１のメモリに記憶した画像データを圧縮する圧縮手段と、該圧縮手段により圧縮された画像データを記憶する第２のメモリとを有する原稿読取装置において、前記圧縮手段は、前記第１の原稿読取手段による原稿読み取り位置と、前記第２の原稿読取手段による原稿読み取り位置との原稿搬送路に沿った距離が、原稿長と紙間の和よりも大きい場合であって、第一の原稿の第一面の画像データの次に、前記第一の原稿に続く第二の原稿の第一面の画像データが前記第１のメモリに記憶された場合、前記第一の原稿の第二面の画像データの前記第１のメモリへの記憶と前記圧縮手段による圧縮が行われるまで、前記第二の原稿の第一面の画像データの圧縮を行わず、前記第二の原稿の第一面の画像データを前記第１のメモリに記憶した状態を維持し、前記第一の原稿の第二面に続く前記第二の原稿の第一面の画像データの読み込み順番の逆転を防ぐようにしたことを特徴とする。
【００３５】
【発明の実施の形態】
以下、図面を参照して本発明の実施形態について説明する。
図２は、本発明の実施形態に係る複写装置の要部の内部構造を示す部分切り欠き斜視図で、図３は、本発明の複写装置の全体の内部構造を示す構成図で、図４は、本発明の複写装置の原稿圧板部の構造を示す構成図を各々示している。本発明の実施形態に係る複写装置は、図３に示したように、原稿の搬送及び付勢を行う原稿圧板部６０と、原稿から画像を読み取るブックスキャナ部（画像読取部）５０と、原稿から読み取った画像を記録紙に形成する記録部１００とから大略構成されている。
【００３６】
本発明の実施形態に係る複写装置は、原稿台ガラス５０ｈの上面に載置されたブック原稿に対して光学系を移動させることにより、副走査を行ってブック原稿の表面を読み取る所謂「ブックスキャナ部」と、原稿台ガラス５０ｈの上方に配置され、シート分離機構を有する原稿搬送装置によりシート原稿を搬送しながら、副走査を行ってシート原稿を読み取る（流し読み）所謂「シートスキャナ部」とを備えている。
【００３７】
これにより、従来の複写機にみられるような、原稿を所定の位置に搬送した後で静止させて走査する場合と比較して、走査機構を簡素化することができると共に、読み取り時間を短縮することができる点を特徴としている。
【００３８】
上述した構成を詳述すると、図３に示すように、ブックスキャナ部５０は、複写装置本体と一体に構成されており、ブックスキャナ部５０の最上面には、原稿台ガラス５０ｈが設けられている。また、図２及び図３に示すように、原稿台ガラス５０ｈの上方には、複写装置の奥側を回転基準としてヒンジ６５を介して開閉自在に取り付けられた原稿圧板部６０が設けられている。
【００３９】
図４に示すように、原稿圧板部６０は、３つの要素から構成されている。原稿圧板部６０の３つの要素とは、原稿台ガラス５０ｈ上に載置されたブック原稿を原稿台ガラス面に付勢する原稿圧着部６０ａ、後述する原稿給紙部に給紙されたシート原稿を搬送する原稿搬送部６０ｂ、原稿搬送部６０ｂの外周側搬送路を構成する搬送ガイド６０ｃである。
【００４０】
また、原稿搬送部６０ｂは、原稿圧着部６０ａに対して原稿搬送方向に垂直な回転軸６３を中心に図中矢印方向へ回動自在に取り付けられている。原稿搬送ガイド６０ｃも同様に、原稿圧着部６０ａに対して原稿搬送方向に垂直な回転軸６４を中心に図中矢印方向へ回動自在に取り付けられている。
【００４１】
また、図３に示すように、原稿搬送ガイド６０ｃと原稿搬送部６０ｂとが夫々閉じられた状態で、原稿給紙部６６から原稿排紙部６７まで一続きの原稿搬送路が形成される。原稿搬送部６０ｂは、原稿が積載される原稿積載トレイ６８と、原稿束の両端を整列させる原稿幅規制板６１とを備えている。
【００４２】
また、原稿給紙部６６から原稿搬送方向に沿って順に、分離部８０、原稿搬送路７０ａ、原稿レジストローラ７０、原稿端部検知センサ７１が設けられている。また、図３及び図４に示すように、原稿圧板部６０ａにおいて、原稿端部検知センサ７１から原稿搬送方向下流側の個所には、開口部７８が設けられており、この開口部７８の下方には、複写装置本体側に固定された流し読みガラス９１が設けられている。
【００４３】
また、図２に示すように、フォトインタラプタ７１ａは、原稿端部検知センサ７１が原稿端部を検知する際の基準として設けられている。第一の原稿圧接ローラ７２は、原稿搬送部６０ｂ内に設けられており、第一の原稿圧接ローラ７２の両端は、付勢ばね７３を介して流し読みガラス９１の方向に付勢されている。原稿は、第一の原稿圧接ローラ７２と流し読みガラス９１との間を通るが、原稿搬送途中に動作が停止したりジャムが発生した場合には、原稿搬送ガイド６０ｃと原稿搬送部６０ｂを開くことによって、第一の原稿圧接ローラ７２の付勢力を解除することで、搬送路中に滞留した原稿を取り除くことができるようになっている。
【００４４】
第一の原稿圧接ローラ７２の母線近傍には、第一の原稿読み取り点Ａ１が設けられている。また、流し読みガラス９１の配設個所から原稿搬送方向下流側には、同じく複写装置本体側に固定された原稿ジャンプ台が設けられており、原稿ジャンプ台により、第一の原稿読み取り点Ａ１を通過した原稿の先端をすくい上げて上方へ案内する。先端がすくい上げられた原稿は、原稿圧板部６０ａと原稿搬送部６０ｂとで形成される原稿搬送路７０ａに進入させられる。
【００４５】
原稿搬送部６０ｂ内には、原稿搬送路７０ａに面した位置に密着型イメージセンサ７５が設けられており、更に、原稿圧板部６０ａ内で密着型イメージセンサ７５に対向する部分には、第二の原稿圧接ローラ７６が設けられている。第二の原稿圧接ローラ７６は、該ローラ軸の両端が付勢ばね７７を介して密着型イメージセンサ７５の方向に付勢されている。これにより、第二の原稿圧接ローラ７６の上面を通過する原稿を密着型イメージセンサ７５に密着させることで、第二の原稿読み取り点Ａ２を形成している。
【００４６】
そして、一般的な密着型イメージセンサは焦点深度が浅いので、密着型イメージセンサにより密着させて、揺れ動くことのない安定した原稿を読取ることが望ましいとされている。従って、不図示ではあるが密着型イメージセンサ７５の前後に、原稿の搬送状態を安定させる、搬送ローラや、マイラ、コロ等が敷設されている事が望ましい。
【００４７】
上述したように、原稿搬送部６０ｂが原稿圧着部６０ａに対して回転軸６３を中心に回動自在に取り付けられているため、回転軸６３を中心にした原稿搬送部６０ｂの回動と共に、密着型イメージセンサ７５と第二の原稿圧接ローラ７６が互いに乖離して、第二の原稿圧接ローラ７６の付勢圧が解除されることで、原稿ジャムを取り除くことができるようになっている。この場合、回転軸６３と密着型イメージセンサ７５とは互いに平行に配置されている。
【００４８】
また、図３に示すように、複写装置本体内における、流し読みガラス９１及び原稿台ガラス５０ｈの下方には、２：１縮小光学系のブックスキャナ部（画像読取部）５０が配置されている。
【００４９】
また、図２において、符号８１は光源、８２は反射傘、５０ａは第１のミラー、５０ｂは第２のミラー、５０ｃは第３のミラーである。光源８１が第一の原稿読み取り点Ａ１の直下にあるとき、光源８１からの光が迷光となって密着型イメージセンサ７５に進入しないように、図４に示すように、原稿搬送路７０ａの対向ガイド部７４ａ、７４ｂを凸形状に湾曲させることで遮光している。原稿搬送路７０ａは、対向ガイド部７４ａ、７４ｂが凸形状に湾曲されていることで、Ｓ字状に形成されている。また、このＳ字状のパスは、密着型イメージセンサ７５内の光源（ＬＥＤ）７５ｂからの光も遮断することで、第一の原稿読み取り点Ａ１に光を到達させないように機能している。
【００５０】
このような凸形状は、ストレートパスを利用した読取装置に比べて、光の遮断のためにセンサ間の距離を大きくとらなくても良いので、読取装置の小型化にも寄与している。ただし、先に述べたように、密着型イメージセンサを利用すると、イメージセンサの前後に原稿の搬送状態を安定させるローラやコロ等の部材を必要とするため、イメージセンサ間の距離は、ローラの配置に必要な距離は取らねばならない。
従って、特に両面のイメージセンサが両方共に密着型イメージセンサであった場合、原稿を精度よく読みとるためには必ずセンサ間にローラ等を配置するために、それ相当の距離を取らねばならなく、本願の課題の解決が必要になる。
【００５１】
また、図２及び図３に示すように、ブックスキャナ部（画像読取部）５０には、原稿台ガラス５０ｈ上に静止状態で配置された原稿を鏡の反射で走査して得た原稿画像を光電変換するＣＣＤセンサ５０ｅが設けられている。原稿台ガラス５０ｈ上に載置された原稿は、第１のミラー５０ａと共に移動する光源８１と反射傘８２とによって、所定の明度になるように照射される。原稿像は、他の第２のミラー５０ｂ、第３のミラー５０ｃで反射されてレンズ群５０ｄに入射され、レンズ群５０ｄを介してＣＣＤセンサ５０ｅに入射される。そして、原稿像はＣＣＤセンサ５０ｅによって光電変換され、電気信号として画像処理部（図１のＣＰＵ３０７）へ送られる。
【００５２】
静止状態の原稿を読み取る場合は、第１のミラー５０ａは、原稿台ガラス５０ｈ直下のＡ３の範囲を移動して原稿を読み取る。また、原稿圧板部６０の上部に積載されたシート原稿を搬送しながら読み取る場合には、第１のミラー５０ａは、第一の原稿読み取り点Ａｌの位置に移動して停止し、原稿搬送路７０ａから送られてくるシート原稿を読み取る。分離部８０は、原稿圧板部６０の上部に積載されたシート原稿の束から、上から一枚ずつシート原稿を分離する。分離されたシート原稿は、原稿レジストローラ７０によって一定の速度になるようにグリップされて、第一の原稿読み取り点Ａ１の方向に送られる。
【００５３】
また、図３に示すように、ブックスキャナ部（画像読取部）５０の下方には、記録ユニットと電装ユニットを備えた記録部１００が配置されている。符号１０７は記録紙カセット、１０６は記録紙給紙部、１０６ａはレジストローラ、１０５はトナー容器、１０２ｅは感光ドラム、１０２ｄは転写ローラ、１０４はレーザスキャナユニット、１０２ｃは定着ローラ、１０８ａは裏面記録のための反転フラッパ、１０８は記録紙反転パス、１０１は記録紙排紙部である。図示のように、記録紙反転パス１０８、転写ローラ１０２ｄの関係から、フェイスダウンで記録紙を排出する。
【００５４】
反転フラッパ１０８ａを切り分けのポイントとして、記録紙排紙部１０１の方向に排出されつつある記録紙をスイッチバックさせることにより、記録紙反転パス１０８に記録紙を逆搬送する。この記録紙は、レジストローラ１０６ａを経て再給紙され、転写ローラ１０２ｄを経て原稿裏面の画像が形成される。
【００５５】
図１は、本発明の実施形態に係る複写装置の制御系の構成例を示すブロック図である。この複写装置は、リーダ部Ｕ１００（図３のブックスキャナ部５０に対応）、プリンタ部Ｕ１０１（図３の記録部１００に対応）、コントローラ部Ｕ１０２、原稿給送制御部Ｕ１０３を備えている。更に、コントローラ部Ｕ１０２は、リーダインタフェース３０１、リーダメモリ３０２、エンコーダ３０３、圧縮画像用メモリ３０４、デコーダ３０５、ページメモリ３０６、ＣＰＵ（Central Processing Unit）３０７、ＲＡＭ（Random Access Memory）３０８、ＲＯＭ（Read Only Memory）３０９、プリンタインタフェース３１０、画像編集用メモリ３１１を備えている。
【００５６】
上述した構成を詳述すると、コントローラ部Ｕ１０２は、リーダインタフェース３０１を介してリーダ部Ｕ１００と接続されると共に、プリンタインタフェース３１０を介してプリンタ部Ｕ１０１と接続されている。リーダメモリ３０２は、リーダ部Ｕ１００により原稿から読み取った画像の圧縮前の画像データを、少なくとも２ページ分を一時的にストアするためのメモリである。この場合、１ページ分とは、例えばラージ原稿Ａ３分サイズ１枚分であり、スモール原稿読み込み時には、リーダメモリ３０２を分割使用することで、スモール原稿を連続で２枚分の画像読み込みを可能にしている。
【００５７】
本発明における実施形態の複写装置においては、原稿の両面を同時に読み込む同時両面読み込みを実現しており、同時両面読み込み時には、リーダメモリ３０２を分割使用することで、同時に読み込んだ原稿両面の画像データをリーダメモリ３０２にストアするようにしている。
【００５８】
エンコーダ３０３は、リーダメモリ３０２にストアされた画像データを圧縮するものである。圧縮画像用メモリ３０４は、エンコーダ３０３により圧縮して得られた複数ページ分の画像データをストアするためのメモリである。デコーダ３０５は、圧縮画像用メモリ３０４にストアされた圧縮されている画像データを解析し（伸張し）、ページメモリ３０６上に展開するものである。ここで、リーダメモリ３０２上にある画像データに対してデジタル変倍を行う場合には、画像編集用メモリ３１１を用いて、拡大時には線形補間の処理を行うなどして画像の水増しを行い、エンコーダ３０３は、その画像データをもとに圧縮用画像メモリ３０４に圧縮してストアする。
【００５９】
ＲＯＭ３０９は、制御プログラムがストアされたメモリである。ＣＰＵ３０７は、ＲＯＭ３０９にストアされた制御プログラムに従って、コントローラ部Ｕ１０２の各部を制御するものであり、後述する図６及び図７のフローチャートに示す処理を実行する。ＲＡＭ３０８は、ＣＰＵ３０７の作業領域として使用されるメモリである。そして、ＣＰＵ３０７は、読み込みが終了した時に、原稿の表・裏かを判別することができるようになっている。この読み込み終了判別処理は、原稿給送制御部Ｕ１０３で制御される原稿搬送パス内に配置された不図示のセンサー手段によって原稿の表か裏かの判別を行い、原稿給送制御部Ｕ１０３は、リーダ部Ｕ１００を通して通信にて通知される。
【００６０】
また、各々読み込み開始時には、圧縮画像用メモリ３０４内において、表面用・裏面用と展開場所を前もって入れる場所を決めておくことで表面・裏面の圧縮する画像の管理を行っている。この展開場所の設定は、原稿サイズに応じて動的に切り換えることで、画像メモリ３０４の有効活用を行う。例えば、Ａ３サイズ２枚分の画像メモリ３０４の場合、Ａ４サイズ原稿を読み込む時には、１表→１裏→２表→３表のように、１表読み込み終了後に１裏が読み込まれるまでに、２ページ分（２表、３表）のページバッファを持つことが可能となる。
【００６１】
このメモリサイズは、第一の原稿読み取り点Ａｌと第二の原稿読み取り点Ａ２の距離から算出することが可能である。原稿給送制御部Ｕ１０３は、上述した原稿搬送部６０ｂと搬送ガイド６０ｃにより構成される原稿搬送装置（以下、ＡＤＦという）の動作を制御するものであり、リーダ部Ｕ１００と通信を行うことで、上述した制御を行う。リーダ部Ｕ１００は、上述したブックスキャナ部５０に対応する画像読取部である。プリンタ部Ｕ１０１は、上述した記録部１００に対応する画像形成部である。
【００６２】
次に、複写装置における画像の流れについて図１を参照しながら説明する。  リーダ部Ｕ１００により読み取られた原稿の画像データは、リーダインタフェース３０１を介してリーダメモリ３０２にバッファリングされ、更に、リーダメモリ３０２の画像データは、エンコーダ３０３により圧縮され、圧縮画像用メモリ３０４にストアされる。なお、圧縮画像用メモリ３０４にストアされる時に、エンコーダ３０３により圧縮されたリーダメモリ３０２上の画像データは消去される。
【００６３】
通常のコピー動作では、圧縮画像用メモリ３０４の画像データは、デコーダ３０５によって解析され、ページメモリ３０６上に展開され、プリンタ部Ｕ１０１に画像出力される。プリンタ部Ｕ１０１へ正常に画像出力が行われた場合は、圧縮画像用メモリ３０４の画像データは消去される。そして、圧縮画像メモリ３０４に画像データをストアした結果、画像データが入りきらないと判明したときに、メモリフルとして処理される。
【００６４】
図５は、本発明の実施形態に係る複写装置の図３に示したブックスキャナ部に配設される操作部の構成例を示す正面図である。図５において、Ｐ２０１は表示部であり、動作状況・メッセージを表示する。表示部Ｐ２０１の表面はタッチパネルとして構成されており、表面を触れることによって選択キー（等倍、倍率、用紙選択、濃度、ソータ、両面など）として機能する。同時両面読み込みモードの設定は、表示部Ｐ２０１から行う。Ｐ２０２は数字を入力するテンキーであり、テンキーＰ２０２を押下することにより、１枚の原稿に対してのコピーする枚数を設定する。
【００６５】
Ｐ２０３はスタートキーであり、スタートキーＰ２０３を押下することにより、原稿読み込み動作の開始を指示する。Ｐ２０４はファンクションキーであり、ファンクションキーＰ２０４を押下することにより、コピー動作、ＢＯＸ動作、拡張機能の切り替えをワンタッチで行うことが可能になっている。この中で、ＢＯＸ動作の機能とは、複写装置本体内に用意されたハードディスク（不図示）にスキャンした画像を蓄積しておくことが可能な機能である。
【００６６】
次に、両面原稿読み込み終了順番について原稿搬送の流れと併せて、図８（ａ）〜図９（ｆ）を用いて説明する。最初に、原稿読み込み終了が表→表→裏のように行なわれた時の両面読み込み例について、図８（ａ）〜図８（ｃ）を用いて説明する。図８（ａ）では、ｐ８０１原稿１枚目表読み込み開始をＡ１で行っている。そして次に、図８（ｂ）では、ｐ８０１原稿１枚目表読み込みは終了し、続けて、ｐ８０１原稿１枚目に対して一定紙間Ｘを空けて搬送されたｐ８０２原稿２枚目表読み込み開始をＡ１で行っている。
【００６７】
そして、図８（ｃ）では、ｐ８０２原稿２枚目表読み込みは終了した時には、まだｐ８０１原稿１枚目裏読み込みをＡ２で行っている。この場合には、原稿読み込み終了が表→表→裏となってしまう。つまり、Ａ１とＡ２間の搬送距離が、（原稿長＋紙間）よりも大きい場合に表→表→裏のケースが発生する。
【００６８】
また、原稿読み込み終了が表→裏→表のように行なわれた時の両面読み込み例について、図９（ｄ）〜図９（ｆ）を用いて説明する。
図９（ｄ）では、ｐ８０３原稿１枚目表読み込み開始をＡ１で行っている。そして次に、図９（ｅ）では、ｐ８０３原稿１枚目表読み込みは終了し、続けて、ｐ８０３原稿１枚目裏読み込み開始をＡ２で行っている。その時、ｐ８０３原稿１枚目に対して一定紙間Ｘを空けて搬送されたｐ８０４原稿２枚目は、Ａ１にて原稿読み込みは行われていない。そして、図９（ｆ）では、ｐ８０３原稿１枚目裏読み込みは終了した時には、まだｐ８０４原稿２枚目表読み込みをＡ１で行っている。この場合には、原稿読み込み終了が表→裏→表となる。つまり、Ａ１とＡ２間の搬送距離が、（原稿長＋紙間）よりも小さい場合に表→裏→表のケースが発生する。
【００６９】
次に、上述のように構成された本発明の実施形態に係る複写装置における原稿読み込みシーケンス処理について図６及び図７のフローチャートを参照しながら詳細に説明する。
【００７０】
図６及び図７に示すフローチャートは、コントローラ部Ｕ１０２のＣＰＵ３０７により実行される。なお、図中のＣＩＳは密着型イメージセンサ（Contact Image Sensor）である。
【００７１】
先ず、ステップＳ１では、複写装置のＡＤＦ上に原稿がセットされるのを待つ。なお、ＡＤＦ上に原稿がセットされたかどうかは、原稿給紙部６６に原稿が挿入された時に、原稿検知センサ７１が原稿の存在を検知する。ステップＳ１において、ＡＤＦ上に原稿がセットされたと判定された場合は、ステップＳ２へ進み、操作部上のスタートキーＰ２０３が押下されるのを待つ。
【００７２】
ステップＳ２において、スタートキーＰ２０３が押下されたと認識された場合には、ステップＳ３へ進み、密着型イメージセンサ７５及びＣＣＤセンサ５０ｅのシェーディングを行い、ミラー５０ａ〜５０ｃを移動させ、第一の原稿読み取り点Ａ１における走査が可能となる位置に待機させる。
【００７３】
次に、ステップＳ４へ進み、原稿読み込みモードが原稿の両面を同時に読み込む両面読み込みモードかどうかを判別する。ステップＳ４の判定で、原稿読み込みモードが両面読み込みモードの場合には、ステップＳ５へ進み、両面読み込みモード処理を行う。両面読み込みモード処理については、図７に示すフローチャートに基づき後述する。他方、ステップＳ４の判定で、原稿読み込みモードが両面読み込みモードでない場合には、ステップＳ６へ進み、片面原稿の読み込み処理を行う。
【００７４】
片面原稿読み込み処理は、上述した通り、原稿を所定搬送速度で搬送しながら第一の原稿読み取り点Ａ１で原稿の表面を読み取る流し読みを行うことで、原稿から画像読み込みを行う。原稿から読み込まれた画像は、上述した図１のリーダインタフェース３０１を介してリーダメモリ３０２にバッファリングされ、更に、リーダメモリ３０２の画像データは、エンコーダ３０３により圧縮され、圧縮画像用メモリ３０４にストアされる。そして、ステップＳ５或いはステップＳ６の処理後は原稿読み込み終了となる。
【００７５】
次に、上述した図６のステップＳ５における両面読み込みモード処理について図７のフローチャートと図８（ａ）〜図９（ｆ）に基づき説明する。
先ず、ステップＳ１１では、リーダメモリ３０２内に読み込み終了画像データがあるかどうかを判定する。原稿の表面の場合、前述したように、第一の原稿読み取り点Ａ１での原稿流し読みにて行われ、裏面の場合には第二の原稿読み取り点Ａ２での原稿流し読みにて行われ、ステップＳ１１では原稿の表面側の読み込み終了を待っている。
【００７６】
そして、ステップＳ１１の読み込みが終了したと判断された時にはステップＳ１２へ進み、リーダメモリ３０２内の読み込み終了画像データをエンコーダ３０３により圧縮し、圧縮画像用メモリ３０４にストアする。前述したように、圧縮画像用メモリ３０４にストアされた時に、リーダメモリ３０２内の読み込み終了画像データは消去される。
【００７７】
ステップＳ１２の処理の後に、ステップＳ１３にて次の読み込み終了画像データがあるかどうかを判定する。ステップＳ１３の読み込みが終了したと判定された時にはステップＳ１４へ進み、その読み込み終了画像データは、ステップＳ１１にて読み込まれた原稿の裏面かどうかを判定する。例えば、前述したように、Ａ１とＡ２間の搬送距離が（原稿長＋紙間）よりも大きい場合には、原稿読み込み終了が表→表→裏のように行われてしまうことが起きてしまい、ステップＳ１１にて読み込まれた原稿の裏面でない場合がある。
【００７８】
ステップＳ１４の判定で、ステップＳ１１にて読み込まれた原稿の裏面でないと判定された場合にはステップＳ１７へ進み、リーダメモリ３０２の画像データの圧縮を停止しそのまま保持状態にする。ステップＳ１７の処理の後に、ステップＳ１３へと戻り、次の読み込み終了画像データがあるかどうかを判定する。このステップＳ１４の判定では、Ａ１とＡ２間の搬送距離の間に複数の原稿が入る場合には、ステップＳ１７の処理を複数行うように動作する。
【００７９】
また、ステップＳ１４の判定で、ステップＳ１１にて読み込まれた原稿の裏面だと判定された場合には、ステップＳ２０へと進み、裏面画像をエンコーダ３０３により圧縮し、圧縮画像用メモリ３０４にストアする。次に、ステップＳ１５へと進み、リーダメモリ３０２内に保持されている画像データがあるかどうかを判定する。ステップＳ１５の判定でリーダメモリ３０２内に保持されている画像データがあると判定された場合にはステップＳ１６へと進み、複数保持画像データがある時、最初の保持画像データをエンコーダ３０３により圧縮し、圧縮画像用メモリ３０４にストアする。
【００８０】
前述したように、圧縮画像用メモリ３０４にストアされた時に、圧縮したリーダメモリ３０２内の保持画像データは消去される。ステップＳ１６の処理の後にステップＳ１８へと進み、まだリーダメモリ３０２内に保持されている画像データがあるかどうかを判定する。ステップＳ１８の判定で、リーダメモリ３０２内に保持されている画像データがあると判定された場合には、ステップＳ１３へと戻り次の読み込み終了画像データがあるかどうかを判定する。
【００８１】
また、ステップＳ１５の判定でリーダメモリ３０２内に保持されている画像データがないと判定された場合にはステップＳ１９へと進み、次の読み込み原稿があるかどうかを判定する。次の読み込み原稿があるかどうかの判定は、原稿検知センサ７１を用いて判別し、次の読み込み原稿がある場合には、ステップＳ１１へ戻り、次の読み込み原稿がない場合には、上述した図６に示すメインの処理へ戻る。
【００８２】
同様に、ステップＳ１８の判定で、リーダメモリ３０２内に保持されている画像データがないと判定された場合には、ステップＳ１９へと進み、次の読み込み原稿があるかどうかを判定する。
【００８３】
以上説明したように、本発明の実施形態によれば、複写装置のＣＰＵ３０７は、原稿読み込みモードが流し読み機能により原稿の両面を同時に読み込む両面モードに設定されている場合、原稿サイズによっては、表面読み込みと裏面読み込みが原稿１枚に対して順番通り読み込みが完了しないケースが発生した時、ソフト的に画像圧縮制御していくことで、一つの画像記憶装置に原稿順番通りに記憶していくことを可能とした原稿読取装置を提供することができる。
【００８４】
［参考例］
なお、参考までに、本発明の参考例を以下に示す。本発明の参考例は、上述した実施形態における図１〜図９（ｆ）までの説明と同様であるので、相違する図１０及び図１１について以下に説明する。本参考例の特色としては、リーダメモリ３０２のメモリ容量を最小にした場合の方法である。メリットとしては、リーダメモリ３０２で画像読み込み完了すると同時に即、圧縮用画像メモリ３０４内に圧縮を行うことで、リーダメモリ３０２を最小容量とすることが可能となる。このことは、高速なビデオデータ転送のために、リーダメモリ３０２は通常はＳＤＲＡＭといった高速なメモリを使用しなければならないのに対して、圧縮用画像メモリ３０４はそれほど高速なアクセスを必要としないことからコストが安いハードディスクを使用することが前提にある。この前提に基づいて、圧縮用画像メモリ３０４をフル活用することにより、コスト安な製品を実現することが可能となる。また、文中ロックの表記があるが、これは通常、圧縮用画像メモリ３０４内に入っている画像データを、コピー用にプリントデータとして使用したり、ＦＡＸ用送信データとして使用したりすることに、制限をもうけることを意味する。これは、リーダ部Ｕ１００からの画像データをコントローラ部Ｕ１０２内の圧縮画像用メモリ３０４内に、パフォーマンス重視で読み込み、コピー用のプリントデータとして使用する場合や、ＦＡＸ用送信データとして使用する場合に、圧縮用画像メモリ３０４に入っている画像データのステータスに従って読み出しの許可・禁止を行うようにするのである。また、画像読み込み時に時間のかかる処理としては、（１）リーダメモリ３０２への画像取り込み、（２）圧縮用画像メモリ３０４への画像圧縮、（３）圧縮画像データのステータス変更、（１）＞（２）＞（３）といった順序になるので、コピー動作時や、ＦＡＸ送信時には、リーダパフォーマンスをフル活用した両面読み込みを行い、読み込み順番が入れ替わった時には（３）の処理を実行することで、製品全体としてのパフォーマンス向上も見込めるのである。
【００８５】
まず、図１１は、本参考例に係る蓄積画像データ管理テーブルの一例を示す図である。図１１を用いて圧縮用画像メモリ３０４における画像読み込み・読み出しの制御について説明する。
まず、画像読み込み時には、圧縮用画像メモリ３０４に圧縮してストアする位置は、圧縮用画像メモリ３０４内で通し番号９１２通りになる。図１１に示す例では、９０１〜９１０まででジョブ２種類の読み込みが行われる（ジョブの区分けは、ジョブ開始時の最初の画像読み込み時に一緒に９１１に書き込まれる）。また、原稿６枚に対して画面読み込み時、１枚目表→１枚目裏→２枚目表のように読み込まれた場合には、９０１〜９０３のように、デコーダ３０５を用いて画像読み出しをする場合の読み出し番号９１３は、圧縮用画像メモリ３０４に圧縮してストアされた順番通り（＝通し番号通り）に設定される。
【００８６】
そしてまた、本発明のケースとして、原稿複数毎に対する両面読み込み時、１枚目表→２枚目表→１枚目裏→３枚目表のように読み込まれた場合には、９０７〜９１０のように、デコーダ３０５を用いて画像読み込みをする場合の読み出し番号９１３は、圧縮用画像メモリ３０４に圧縮してストアされた順番とは異なり、スキップして（＝原稿順番になるように）設定される。
【００８７】
また、９１０の状態の場合、読み出し番号９１３は、４番が抜けている状態（＝原稿２枚目裏の読み込みが終わっていない状態）の時には、デコーダ３０５を用いての画像読み出しは禁止される（＝ステータス９１４はロック状態になる。通常は読み込み完了になる）。そして、原稿２枚目裏の読み込みが終わり、圧縮用画像メモリ３０４に圧縮してストアされた時に、９１４のロック状態は解除される（＝ステータス９１４は、読み込み完了になる）。
【００８８】
次に、上述のように構成された本参考例に係る複写装置における原稿読み込みシーケンス処理について図６及び図１０のフローチャートを参照しながら詳細に説明する。
【００８９】
図６及び図１０に示すフローチャートは、コントローラ部Ｕ１０２のＣＰＵ３０７により実行される。なお、図中のＣＩＳは密着型イメージセンサ（Contact Image Sensor）である。
【００９０】
先ず、ステップＳ１では、複写装置のＡＤＦ上に原稿がセットされるのを待つ。なお、ＡＤＦ上に原稿がセットされたかどうかは、原稿給紙部６６に原稿が挿入された時に、原稿検知センサ７１が原稿の存在を検知する。ステップＳ１において、ＡＤＦ上に原稿がセットされたと判定された場合は、ステップＳ２へ進み、操作部上のスタートキーＰ２０３が押下されるのを待つ。
【００９１】
ステップＳ２において、スタートキーＰ２０３が押下されたと認識された場合には、ステップＳ３へ進み、密着型イメージセンサ７５及びＣＣＤセンサ５０ｅのシェーディングを行い、ミラー５０ａ〜５０ｃを移動させ、第一の原稿読み取り点Ａ１における走査が可能となる位置に待機させる。
【００９２】
次に、ステップＳ４へ進み、原稿読み込みモードが原稿の両面を同時に読み込む両面読み込みモードかどうかを判別する。ステップＳ４の判定で、原稿読み込みモードが両面読み込みモードの場合には、ステップＳ５へ進み、両面読み込みモード処理を行う。両面読み込みモード処理については、図１０に示すフローチャートに基づき後述する。他方、ステップＳ４の判定で、原稿読み込みモードが両面読み込みモードでない場合には、ステップＳ６へ進み、片面原稿の読み込み処理を行う。
【００９３】
片面原稿読み込み処理は、上述した通り、原稿を所定搬送速度で搬送しながら第一の原稿読み取り点Ａ１で原稿の表面を読み取る流し読みを行うことで、原稿から画像読み込みを行う。原稿から読み込まれた画像は、上述した図１のリーダインタフェース３０１を介してリーダメモリ３０２にバッファリングされ、更に、リーダメモリ３０２の画像データは、エンコーダ３０３により圧縮され、圧縮画像用メモリ３０４にストアされる。そして、ステップＳ５或いはステップＳ６の処理後は原稿読み込み終了となる。
【００９４】
次に、上述した図６のステップＳ５における両面読み込みモード処理について図１０のフローチャートと図１１に基づき説明する。
先ず、ステップＳ１１では、読み込み終了画像データがあるかどうかを判定する。原稿の表面の場合、前述したように、第一の原稿読み取り点Ａ１での原稿流し読みにて行われ、裏面の場合には第二の原稿読み取り点Ａ２での原稿流し読みにて行われ、ステップＳ１１では原稿の表面側の読み込み終了を待っている。
【００９５】
そして、ステップＳ１１の読み込みが終了したと判断された時にはステップＳ１２へ進み、リーダメモリ３０２内の読み込み終了画像データをエンコーダ３０３により圧縮し、圧縮画像用メモリ３０４にストアする。前述したように、圧縮画像用メモリ３０４にストアされた時に、読み出し番号９１３とステータス９１４も同時に書き込まれる。
【００９６】
ステップＳ１２の処理の後に、ステップＳ１３にて次の読み込み終了画像データがあるかどうかを判定する。ステップＳ１３の読み込みが終了したと判定された時にはＳ１４へ進み、その読み込み終了画像データは、ステップＳ１１にて読み込まれた原稿の裏面かどうかを判定する。例えば、前述したように、Ａ１とＡ２間の搬送距離が（原稿長＋紙間）よりも大きい場合には、原稿読み込み終了が表→表→裏のように行われてしまうことが起きてしまい、ステップＳ１１にて読み込まれた原稿の裏面でない場合がある。
【００９７】
ステップＳ１４の判定で、ステップＳ１１にて読み込まれた原稿の裏面でないと判定された場合にはステップＳ１７へ進み、リーダメモリ３０２内の読み込み終了画像データをエンコーダ３０３により圧縮し、圧縮画像データメモリ３０４にストアする時に、読み出し番号９１３をスキップして設定し、また、ステータス９１４をロック状態にして書き込む。ステップＳ１７の処理の後にステップＳ１３へと戻り、次の読み込み終了画像データがあるかどうかを判定する。このステップＳ１４の判定では、Ａ１とＡ２間の搬送距離の間に複数の原稿が入る場合には、ステップＳ１７の処理を複数行うように動作する。
【００９８】
また、ステップＳ１４の判定で、ステップＳ１１にて読み込まれた原稿の裏面だと判定された場合には、ステップＳ２０へと進み、裏面画像をエンコーダ３０３により圧縮し、圧縮画像用メモリ３０４にストアする。次に、ステップＳ１５へと進み、ステータス９１４がロック状態になっている圧縮画像データがあるかどうかを判定する。ステップＳ１５の判定でステータス９１４がロック状態になっている圧縮画像データがあると判定された場合にはステップＳ１６へと進み、リーダメモリ３０２内の読み込み終了画像データをエンコーダ３０３により圧縮し、圧縮画像データメモリ３０４にストアする時、読み出し番号９１３をスキップされた番号で設定する。複数保持画像データがある時、最初のスキップされた番号で読み出し番号９１３を設定し、最初にステータス９１４がロック状態になっている圧縮画像データのロック状態を解除する（＝読み込み完了にする）。
【００９９】
ステップＳ１６の処理の後にステップＳ１８へと進み、まだステータス９１４がロック状態になっている圧縮画像データがあるかどうかを判定する。ステップＳ１８の判定で、ステータス９１４がロック状態になっている圧縮画像データがあると判定された場合には、ステップＳ１３へと戻り、次の読み込み終了画像データがあるかどうかを判定する。
【０１００】
また、ステップＳ１５の判定でステータス９１４がロック状態になっている圧縮画像データがないと判定された場合にはステップＳ１９へと進み、次の読み込み原稿があるかどうかを判定する。次の読み込み原稿があるかどうかの判定は、原稿検知センサ７１を用いて判別し、次の読み込み原稿がある場合には、ステップＳ１１へ戻り、次の読み込み原稿がない場合には、上述した図６に示すメインの処理へ戻る。
【０１０１】
同様に、ステップＳ１８の判定で、ステータス９１４がロック状態になっている圧縮画像データがないと判定された場合には、ステップＳ１９へと進み、次の読み込み原稿があるかどうかを判定する。
【０１０２】
以上説明したように、本参考例によれば、複写装置のＣＰＵ３０７は、原稿読み込みモードが流し読み機能により原稿の両面を同時に読み込む両面モードに設定されている場合、原稿サイズによっては、表面読み込みと裏面読み込みが原稿１枚に対して順番通り読み込みが完了しないケースが発生した時、ソフト的に画像圧縮された圧縮画像データの読み出し時の設定を行っていくことで、一つの画像記憶装置に原稿順番通りに記憶していくことを可能とした原稿読取装置を提供することができる。
【０１０３】
以上に説明した実施形態では、本発明を複写装置に適用した場合を例に挙げたが、本発明は、複写装置に限定されるものではなく、例えば、複写機能の他にプリンタ機能やファクシミリ機能等を備えた複合機（ＭＦＰ）に適用することもできる。
【０１０４】
また、上述した実施形態では、複写装置単体について説明したが、本発明は、複写装置単体に限定されるものではなく、例えば、任意台数の複写装置（または複合機）と情報処理装置等をネットワーク接続したシステムに適用することもできる。
【０１０５】
なお、本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、達成されることは言うまでもない。
【０１０６】
【発明の効果】
以上説明したように本発明によれば、両面モードにて複数原稿の両面を同時に読み込む場合、原稿サイズによる表面読み込みと裏面読み込みが、原稿順番通りに読み込みが完了しないというケースが発生した時でも、ソフト的に画像圧縮制御していくことで、一つの画像記憶装置に原稿順番通りに記憶していくことを可能とした原稿読取装置を提供することが可能となるという効果を奏する。このことにより、読み取ったデータをコピー出力やＦＡＸ送信等をした時に、読み込み原稿順番が狂うことなく処理することが可能となる。
【図面の簡単な説明】
【図１】  本発明の実施形態に係る複写装置の制御系の構成例を示すブロック図である。
【図２】  本発明の実施形態に係る複写装置の要部の内部構造を示す部分切り欠き斜視図である。
【図３】  本発明の実施形態に係る複写装置の全体の内部構造を示す構成図である。
【図４】  本発明の実施形態に係る複写装置の原稿圧板部の構造を示す構成図である。
【図５】  本発明の実施形態に係る複写装置の操作部の構成例を示す正面図である。
【図６】  本発明の実施形態に係る複写装置におけるＡＤＦを使用した原稿読み込み処理を説明するためのメインフローチャートを示す図である。
【図７】  本発明の実施形態に係る複写装置におけるＡＤＦを使用した両面原稿読み込み処理を説明するためのフローチャートを示す図である。
【図８】  （ａ）〜（ｃ）は、本発明の実施形態に係る複写装置におけるＡＤＦを使用した両面原稿読み込みでの原稿搬送読み込み状態を示す図である。
【図９】  （ｄ）〜（ｆ）は、本発明の実施形態に係る複写装置におけるＡＤＦを使用した両面原稿読み込みでの原稿搬送読み込み状態を示す図である。
【図１０】  本発明の参考例に係る複写装置におけるＡＤＦを使用した両面原稿読み込み処理を説明するためのフローチャートを示す図である。
【図１１】  本発明の参考例に係る蓄積画像データ管理テーブルの一例を示す図である。
【符号の説明】
５０  ブックスキャナ部（画像読取部）
５０ａ  第１のミラー
５０ｂ  第２のミラー
５０ｃ  第３のミラー
５０ｄ  レンズ群
５０ｅ  ＣＣＤセンサ
５０ｈ  原稿台ガラス
６０  原稿圧板部
６０ａ  原稿圧着部
６０ｂ  原稿搬送部
６０ｃ  搬送ガイド
６１  原稿幅規制板
６３  回転軸
６４  回転軸
６５  ヒンジ
６６  原稿給紙部
６７  原稿排紙部
６８  原稿積載トレイ
７０  原稿レジストローラ
７０ａ  原稿搬送路
７１  原稿端部検知センサ
７１ａ  フォトインタラプタ
７２  第一の原稿圧接ローラ
７３  付勢ばね
７４ａ，７４ｂ  対向ガイド部
７５  密着型イメージセンサ
７６  第二の原稿圧接ローラ
７７  付勢ばね
７８  開口部
８０  分離部
８１  光源
８２  反射傘
９１  流し読みガラス
１００  記録部
１０１  記録紙排紙部
１０２ｃ  定着ローラ
１０２ｄ  転写ローラ
１０２ｅ  感光ドラム
１０２ｄ  転写ローラ
１０４  レーザスキャナユニット
１０５  トナー容器
１０６  記録紙給紙部
１０６ａ  レジストローラ
１０７  記録紙カセット
１０８  記録紙反転パス
１０８ａ  反転フラッパ
１０８  記録紙反転パス
Ｐ２０１  表示部
Ｐ２０２  テンキー
Ｐ２０３  スタートキー
Ｐ２０４  ファンクションキー
Ｕ１００  リーダ部（第１の原稿読み込み手段、第２の原稿読み込み手段）
Ｕ１０１  プリンタ部
Ｕ１０２  コントローラ部
Ｕ１０３  原稿給送制御部（原稿搬送制御手段）
３０１  リーダ・インターフェース
３０２  リーダメモリ（記憶手段）
３０３  エンコーダ（圧縮蓄積手段）
３０４  圧縮画像用メモリ（圧縮画像記憶手段）
３０５  デコーダ（第１の展開手段、第２の展開手段）
３０６  ページメモリ（記憶手段）
３０７  ＣＰＵ（格納判断手段、設定判断手段、制御手段、原稿サイズ確定手段、流し読み速度制御手段）
３０８  ＲＡＭ
３０９  ＲＯＭ
３１０  プリンタインターフェース
３１１  画像編集用メモリ
【図１】
0004035339.tif 000002
【図２】
0004035339.tif 000003
【図３】
0004035339.tif 000004
【図４】
0004035339.tif 000005
【図５】
0004035339.tif 000006
【図６】
0004035339.tif 000007
【図７】
0004035339.tif 000008
【図８】
0004035339.tif 000009
【図９】
0004035339.tif 000010
【図１０】
0004035339.tif 000011
【図１１】
0004035339.tif 000012